(57)【要約】【課題】従来のスピーカシステムの防振構造では、充分な防振効果が得られておらず、またシステムの重量とコストの増加を招いているので、これらの問題を解決する。【解決手段】本発明はスピーカを強固に固定する。具体的には、スピーカ固定用部材により略三角形が形成され、三角形が作る平面はスピーカの振動方向と略平行であり、三角形の二つの頂点に該当する部分は、キャビネットの内面のうち互いに対向しスピーカの振動方向とは略平行な二箇所、またはそこに近接する箇所に固着されており、三角形の残る一つの頂点に該当する部分にはネジが取り付けられており、キャビネットは開口を有し、開口を利用してキャビネットの外からネジを回すことによりネジがスピーカの後部を前方に押すようになっている。【選択図】図１
2007104619.tif 000002
【特許請求の範囲】
【請求項１】
キャビネットと、それに取り付けられたスピーカより成るスピーカシステムにおいて、スピーカ固定用部材により略三角形が形成され、三角形が作る平面はスピーカの振動方向と略平行であり、三角形の二つの頂点に該当する部分は、キャビネットの内面のうち互いに対向しスピーカの振動方向とは略平行な二箇所、またはそこに近接する箇所に固着されており、三角形の残る一つの頂点に該当する部分はスピーカの後部に固着されているスピーカシステムの防振構造。
【請求項２】
三角形の残る一つの頂点に該当する部分にはネジが取り付けられており、キャビネットは開口を有し、開口を利用してキャビネットの外からネジを回すことによりネジがスピーカの後部を前方に押すようになっている請求項１に記載のスピーカシステムの防振構造。
【発明の詳細な説明】
【技術分野】
【０００１】本発明は、スピーカシステムの防振構造に関するものである。
【背景技術】
【０００２】キャビネットと、それに取り付けられたスピーカより成るスピーカシステムにおいては、スピーカの振動系のみが振動し、その他の部分は振動しないことが望まれる。しかしスピーカの振動系が振動すると、その反作用によりスピーカの磁気回路も僅かではあるが振動し、その振動はスピーカのフレーム、そのフランジ、キャビネットの前面板、側板を経て裏板にまで及び、結局スピーカシステム全体が共振する結果になる。この共振は当然音を発生し、それはノイズとなって再生音の質を劣化させることになる有害振動である。従ってこれを防ぐ必要があり、そのための防振構造が従来からいろいろ提案されている。その数例を図６〜図１０に示す。なお本願中の図においては、同一の部材には同一の符号を付し、説明は一度に留めている。【０００３】図６は第一の従来例であり、キャビネット１にスピーカ２が取り付けられている。３はスピーカの後部であり、通常この部分は磁気回路に該当し、マグネット、磁極、ヨークより成る。１１は棒状のスピーカ固定用部材であり、一端はスピーカの後部３に固着され、他の一端はキャビネットの裏板の略中央部に固着されている。この固定用部材は木材、金属などより成り、これによりスピーカの後部３を固定し、共振を防ごうとするものである。スピーカの振動系が振動すると、その反作用による力Ｆが磁気回路３に生じ、その力は固定用部材１１に伝わり、更に裏板の略中央部に伝わり、裏板を曲げようとする。一般に固体は曲げ応力に対しては弱いので、裏板は容易に撓んで振動してしまう。従ってこの防振構造においては固定用部材を受け止める部分が弱く、そのため防振効果は低い。【０００４】図７は第二の従来例である。この例では棒状のスピーカ固定用部材１１の中央部がスピーカの後部３に固着され、両端はキャビネット１の側板に固着されている。側板は力Ｆの方向には強固である。しかし部材１１の中央部に於いてＦは曲げ応力として作用するので、同部材は容易に撓み、振動してしまう。つまりこの例に於いては、スピーカ固定用部材が弱く、そのため防振効果は低い。【０００５】図８は第三の従来例であり、特許文献１に記載がある。この例ではスピーカ固定用部材１１の一端がスピーカの後部３に固着され、他端はキャビネット１の後方隅に固着されている。すなわち固定用部材が力Ｆに対して平行ではなく、斜めに配置されている。この場合はキャビネットの前板が曲げ応力により撓むこと及び部材１１の傾斜角が変わることにより、点線で示したような変位が生じ、スピーカとキャビネットは振動してしまう。つまりこの例に於いては固定用部材の取り付け角度に問題があり、そのため防振効果は低い。【０００６】図９、図１０は第四の従来例であり、非特許文献１に記載がある。図９はその平面断面図であり，図１０は正面断面図である。この例ではＶ字型のスピーカ固定用部材１１の折れ曲がり部分が前面板に固着され、開いた両末端がキャビネット１の後方隅に固着されている。この構成においては固定用部材は強固であり、また同部材を受け止めているキャビネットの後方隅も強固な部分である。しかし同部材の折れ曲がり部分が固着されているのは前面板の一部分であり、この部分は固定されるが、それ以外の前面板の部分およびスピーカは曲げ応力により撓み、振動してしまう。つまりこの例に於いては、固定する個所が当を得ていないため、防振効果は低い。【０００７】
【特許文献１】実開昭６４−１１０９０号公報
【非特許文献１】「スピーカー＆エンクロージャー百科」誠文堂新光社、１９９９年、１６３頁
【発明の開示】
【発明が解決しようとする課題】
【０００８】以上述べたごとく、従来技術では充分な防振効果を得るに至っていない。しかし有害な共振は抑制しなければならないので、従来の防振構造を採りながら、その寸法を大きくする、個数を増やす、また更にはキャビネットの板の厚さを増す、その板に補強用リブを多数取り付けるなど、いわば物量作戦によって共振を抑制していたのが実状である。しかしこの方法は当然、システムの重量の増加とコストアップを招く。またキャビネットの内容積が減少するので、それを補うためにキャビネットの寸法を増す必要があり、さらに重量とコストがアップする結果となる。そのようにしても、防振効果は不充分なものであった。
【課題を解決するための手段】
【０００９】従来技術における防振構造の分析から、本発明者は次の結論を得た。すなわち、スピーカシステムにおける最良の防振構造は、次の四つの要件を満たす必要がある。
１）有害振動の発生源であるスピーカの磁気回路が固定されなければならない。図９，図１０の例のごとく当を得ない個所を固定しても、その個所と振動発生源との間で共振が発生してしまい、その共振がシステム全体に波及するので効果的でない。なお通常はスピーカの後部が磁気回路になっているので、スピーカの後部を固定すれば良い。
２）固定用部材には引っ張り、圧縮応力のみが加わり、曲げ応力は作用しないこと。どのような部材でも曲げ応力には弱く、変形、振動してしまう。
３）固定用部材はスピーカの振動方向と略平行に配置されていること。これにより、固定用部材はスピーカの反作用をしっかり受け止めることが出来る。平行でないと、図７、図８の例のごとく固定用部材の変形、振動が発生する。
４）固定用部材が固着され振動を受け止める部分は、略不動点であること。具体的にはキャビネットの側板の内面およびその近傍、隅の部分である。【００１０】一般に、ある構造体に弱い部分があると、そこの剛性で全体の剛性が決まってしまう。従って本課題の防振構造においても、上記の四つの要件の総てが同時に満たされている必要があり、一項でも欠けると、その効果は大幅に低下してしまう。しかし従来の防振構造においては、上記要件の一部を満たしたものはあっても、総てを満たしたものは無かった。そのため充分な防振効果が得られなかった。【００１１】三角形の構造物において、一つの頂角部分が、三角形が作る平面に平行な方向に押され又は引っ張られたときに、各辺内には圧縮又は引っ張り応力が発生し、曲げ応力は発生しない。従って三角形は殆ど変形することが無く、防振構造に適した形状である。本発明は、これを応用したものであり、具体的には、スピーカ固定用部材により略三角形が形成され、三角形が作る平面はスピーカの振動方向と略平行であり、三角形の二つの頂点に該当する部分は、キャビネットの内面のうち互いに対向しスピーカの振動方向とは略平行な二箇所、またはそこに近接する箇所に固着されており、三角形の残る一つの頂点に該当する部分はスピーカの後部に固着されているものである。また三角形の残る一つの頂点に該当する部分にはネジが取り付けられており、キャビネットは開口を有し、開口を利用してキャビネットの外からネジを回すことによりネジがスピーカの後部を前方に押すようになっているものである。
【発明の効果】
【０００１２】本発明は前記した防振構造に必要な４つの要件を総て満たしているので防振効果が高い。その結果キャビネットの共振と、それによるノイズは大幅に低下し、良質な再生音を得ることができる。また大きさや重量による物量作戦は不要であり、キャビネットの板厚も比較的薄くてよく、それをリブにより補強する必要もない。それらの結果、キャビネットは小型、軽量になり、コストも低減される。さらにスピーカを固定する又は取り外す方法も簡単、合理的で、システムの製造、調整が容易である。
【発明を実施するための最良の形態】
【００１３】以下、本発明の実施の形態を図により説明する。図１は第一の実施例の平面断面図であり、図２はその正面断面図である。同図において４はスピーカ固定用部材であり、略三角形である。三角形の左角の部分は２箇所で折れ曲がっているので厳密には四角形であるが、折れ曲がり部分は短いので、曲げ応力により曲がるようなことは無く、実質的には三角形と見なしてよい。この三角形が作る平面がスピーカの振動方向と略平行になるように部材４は配列されている。部材４は、アルミ又は鋼などを用いた角パイプ、又は断面がコの字型のチャンネルなどにより構成するのが適当である。【００１４】固定用部材４において三角形の二つの頂点に該当する部分は、キャビネットの側板の内面二箇所に固着されている。側板は力Ｆの方向（図の左右方向）には変形しないので、振動を受け止める不動点と見なすことができる。なお側板に限らず天板、底板でも良く、これらはすべて本質的には同等であり、要するにキャビネットの内面のうち互いに対向しスピーカの振動方向とは略平行な二箇所に、三角形の二つの頂点に該当する部分が固着されていれば良い。三角形の残る一つの頂点に該当する部分は、スピーカの後部３（磁気回路）にＡで示す個所において固着されている。【００１５】スピーカの振動系が振動すると、その反作用がスピーカの後部３に及ぶが、その片側の力Ｆを図１に示してある。この力は固定用部材４に伝わり、同部材を圧縮しようとする。同部材内にはこれに抵抗する二つの力Ｑ，Ｒが生じ、Ｑ，Ｒは力の合成により合成されて力Ｓになり、力Ｆとつり合う。部材４は圧縮応力に対しては高い剛性を持つので、変形することは殆ど無い。なお力Ｆの向きが反転した時も圧縮が引っ張りに変わるだけで、同じく、部材４が変形することは殆ど無い。【００１６】この構造は前記した４つの要件を総て満たしたものである。従って有害振動の発生源であるスピーカの後部は強固に固定され、キャビネットの共振は発生しない。【００１７】スピーカと固定用部材とをＡ点において固着する方法としてはネジ止めが考えられる（図示は省略する）。ネジ止めするにはスピーカの後部３に雌ネジを切り、部材４の左角には孔を開けて、ここに雄ネジを通して固定する。この場合雌ネジと部材４の孔との位置が三次元的に一致している必要があり、高い精度が要求される。【００１８】この点を改良した第二の実施例を図３，４に示す。この実施例では、固定用部材４の左角とスピーカ後部３との間に隙間が空くような寸法に設計されていて、高い精度は必要なく、加工、組み立てが容易に行える。固定用部材にはネジ５が取り付けられており、ネジを回すことによりネジがスピーカの後部を前方に押すようになっている。スピーカが振動した時に磁気回路が受ける反作用は最大２ｋｇ重程度であり、これを上回る力でスピーカの後部を押すようにネジを設定する。このようにするとネジとスピーカの後部とは離れることがなく、動的（振動的）には固定されたことになる。しかし、静的には固定されていないので、スピーカを必要に応じて取り外すことができ、組立て、調整時に便利である。【００１９】図５は第三の実施例である。ここでは固定用部材４はＶ字型であり、その開いた二つの末端部分は、キャビネットの裏板の側板に近接した部分に固着されていて、裏板とＶ字型部材とにより三角形が形成されている。このように、本発明はキャビネットの一部を固定用部材として兼用する場合も含む。側板に近接した裏板の部分は略不動点と見なすことでき、この構成によっても高い防振効果が得られる。【００２０】図３〜図５の実施例において、固定用部材のネジが取り付けられた部分を水平方向に少し長くして、そこにネジを２本並べて取り付けても良い。このようにしてもネジは折れ曲がり部分の角の近くに取り付けられているので、長くした部分が曲げ応力により曲がり、振動するようなことは無い。またこの防振構造を上下（図４において紙面の上下方向）に２段設置して、２つの防振構造によりスピーカを押すようにしても良い。以上の如くネジで押す個所を増やすことにより、より確実にスピーカを固定することができる。【００２１】図３〜図５の実施例ではネジを外から回して調節する必要があるが、それには次のようにすれば良い。図４において７は配線用の端子板であるが、これを取り外すと開口６があるので、ここから手を入れてネジ５を回すことができる。また８はバスフレックス用のポートであり、これを取り外して、そこの開口を利用してもよい。また図５の実施例では、小さな開口６を設けてある。ここから長いドライバーを入れて、ネジ５を回し、後は栓９をしておく。または、この栓は回転自由で、栓とネジ５とは連結された構造にしておき、栓を回すことによりネジを回す方法も可能である。要するに開口を利用してキャビネットの外からネジを回すことが出来ればよい。【００２２】以上の実施例においてはキャビネットは立方体であったが、多面体さらには曲面により構成されたキャビネットも使用されることがある。その場合にもキャビネットの内面のうち互いに対向しスピーカの振動方向とは略平行な二箇所、またはそこに近接する箇所は略不動点と見なすことができるので、そこに三角形の二つの頂点に該当する部分を固着すればよい。【００２３】以上述べたように、本発明は防振効果が高いのでキャビネットの共振は発生せず、良質な再生音を得ることができる。またキャビネットは小型、軽量になり、コストも低減され、製造、調整は容易である。従ってスピーカシステムに於ける利用価値は極めて高い。
【図面の簡単な説明】
【００２４】
【図１】  本発明の第一の実施形態における防振構造の平面断面図
【図２】  同正面断面図
【図３】  本発明の第二の実施形態における防振構造の平面断面図
【図４】  同正面断面図
【図５】  本発明の第三の実施形態における防振構造の平面断面図
【図６】  従来の防振構造の第一の例の平面断面図
【図７】  従来の防振構造の第二の例の平面断面図
【図８】  従来の防振構造の第三の例の正面断面図
【図９】  従来の防振構造の第四の例の平面断面図
【図１０】  同正面断面図
【符号の説明】
【００２５】    １  キャビネット
２  スピーカ
３  スピーカの後部
４  スピーカ固定用部材
５  ネジ
６  開口
７  端子板
８  ポート
９  栓
１１  従来例におけるスピーカ固定用部材
【図１】
2007104619.tif 000003
【図２】
2007104619.tif 000004
【図３】
2007104619.tif 000005
【図４】
2007104619.tif 000006
【図５】
2007104619.tif 000007
【図６】
2007104619.tif 000008
【図７】
2007104619.tif 000009
【図８】
2007104619.tif 000010
【図９】
2007104619.tif 000011
【図１０】
2007104619.tif 000012